(57)【要約】【課題】本発明はバインダを加えた繊維や粉末材よりなる有通気性成形物の加圧加熱硬化成形に関し、成形時間の短縮にもかかわらず斑のない加熱を行うことができ、高歩留まりでかつ生産性を上げ生産コストの低減を実現することを目的とする。【解決手段】上下の加熱板20, 22と、それぞれの加熱板20, 22に設置される相補的凹凸形状の金型24, 26とを備え、油圧シリンダ13により惹起される加圧方向の相対移動により、金型間において通気性の成形物Ａの加圧加熱硬化を行なう。加熱板20, 22および金型24, 26には、加圧空気源からの加圧空気を加熱板および金型を通過させつつ排気させるための適切な形状の通気孔30A, 30B, 32; 36A, 36B, 38を多数穿設しており、これらの通気孔を介して加圧空気が圧送、排気および循環される。【選択図】図２
2005111763.tif 000002
【特許請求の範囲】
【請求項１】
少なくとも完全硬化前には微小間隙を無数に有し、通気性が存する熱硬化性成形物の加圧加熱硬化に際して、熱源により加温されつつ加圧保持されている成形物中に加圧空気流を通過、排気、かつ循環させることにより熱源からの熱エネルギを対流伝導下で成形物に移動せしめ、これにより成形物の厚み中心の温度を加圧面に近い硬化温度域に到達せしめると共に、バインダの水分除去と気化ガスの脱気の容易化を図り、熱硬化時間を短縮さるようにしたことを特徴とする低熱伝導率材の有通気性物の加圧加熱硬化成形方法。
【請求項２】
通気性の成形物の加圧下での熱硬化のための金型装置であって、成形物の加圧方向の両側に設置される第１および第２の加熱板と、夫々の加熱板に取付けられ成形用の相補的凹凸形状の第１および第２の金型とから成り、前記加熱板および金型は、加圧空気源からの加圧空気を加熱板および金型を通過させつつ排気させるための適切な形状の通気孔を多数穿設していることを特徴とする有通気性物の加圧加熱硬化成形用の金型装置。
【請求項３】
請求項２に記載の発明において、前記第１および第２の金型における対向した通風孔位置を相互に偏倚配置したことを特徴とする有通気性物の加圧加熱硬化成形用の金型装置。
【請求項４】
請求項２若しくは３に記載の発明において、加熱板と相補的凹凸形状の金型とを別個に加工した組立て式としたことを特徴とする有通気性物の加圧加熱硬化成形用の金型装置。
【請求項５】
通気性の成形物の加圧下での熱硬化のための油圧プレス装置であって、油圧シリンダと、加熱板と、加熱板に設置される相補的凹凸形状の金型とを備え、油圧シリンダにより惹起される加圧方向の相対移動により、金型間において通気性の成形物の加圧加熱硬化を行わしめ、前記加熱板および金型は、加圧空気源からの加圧空気を加熱板および金型を通過させつつ排気させるための適切な形状の通気孔を多数穿設しており、かつ成形物の加圧加熱硬化中に加熱板および金型に穿設された通気孔を介しての加圧空気の圧送、排気および循環を行わしめるための加圧空気流通循環手段を具備したことを特徴とする有通気性物の加圧加熱硬化成形用プレス装置。
【請求項６】
請求項５に記載の発明において、熱エネルギ損失防止のため、加熱板からの防止用の断熱手段もしくは対流放熱防止用の４方面のオーブン構造もしくは輻射放熱防止用の熱反射板を具備したことを特徴とする有通気性物の加圧加熱硬化成形用プレス装置。
【発明の詳細な説明】
【技術分野】
【０００１】
この発明はバインダを加えた繊維や粉末材よりなる有通気性成形物の加圧加熱硬化成形方法、金型装置および油圧プレス装置に関するものである。
【背景技術】
【０００２】
低熱伝導率で通気性のある繊維や粉末に樹脂などのバインダを加えて所定形状の成形品（半完成品）の加熱硬化成形に際しては、電熱ヒータまたは蒸気またはガス等にて加熱昇温された加熱板および金型を上下あるいは左右に設け、その間にワークを挟み、加圧下で熱伝導により加熱し、脱水と共に脱気を行い樹脂などのバインダを硬化させるものが通常であった。特許文献１はヤシやココナツの繊維をバインダと共に加圧下で加熱し成形品としてのパレットを製造する技術を開示する。
【０００３】
【特許文献１】特開平５−２７０９３８号公報
【発明の開示】
【発明が解決しようとする課題】
【０００４】
従来技術はいわば静的条件下ともいいうる加熱であり、熱伝導のみに依拠しているため、熱伝導材の加熱に時間を要する上に、加熱体接触面と芯部とにかなりの温度差を生じうる、という問題点がある。例えば、硬化温度域１６０〜１８０℃、過剰加熱温度域２５０℃の厚み１０ｍｍのボード類の硬化成形例でいうと、加熱板または金型の温度を過剰加熱温度以下の２３０℃に昇温制御して、硬化促進と形状付けのために加圧力を加えつつ、加熱昇温して硬化せしめる。
【０００５】
しかしながら、静的条件下での熱伝導のみでは低熱伝導率物の場合は加熱板または金型との接触面は即座に過剰加熱温度以下の２３０℃に到達しうるが、上下から５ｍｍづつ離間した中心部は２分ほどしてようやく１７０℃に到達するが、硬化を進行せしめるのには更に１分ほど要するので硬化成形には３分要する。この問題点を更に詳細に説明すると、接触面は２３０℃、芯部は１７０℃と温度差があるので、接触面は過剰ベーキングぎみに、芯部は不足ベーキングぎみに斑焼きとなりやすく、時には品質の欠陥を招くおそれがある。まして、バインダ剤によって、硬化温度域と過剰温度域との差が例えば１７０℃と２００℃と近い場合は、加熱板または金型の昇温を２００℃未満に抑えねばならず、芯部が１７０℃に達するには時間を更に要し、加熱成形に５分かかることになる。このことは、生産性を低くすると共に、加熱エネルギの放熱ロスが大となり生産原価の上昇を招く結果となる。
【０００６】
ラワン材による合板材等の平板成形では、低生産性の回避のための実生産方式例としては、２０段〜３０段と多段化している。多段化は加熱板の枚数が増加するのみでなく、下段と上段の高さの差は１００ｍｍ×（２０〜３０）段≒２０００〜３０００ｍｍ差となる。また、平板ではなく凹凸形状の深さのある金型加熱成形品ではその厚みによっては多段成形方式は採用し難くなる。
【０００７】
この発明は以上の問題点に鑑みてなされたものであり、成形時間の短縮にもかかわらず斑のない加熱を行うことができ、高歩留まりでかつ生産性を上げ生産コストの低減を実現することを目的とする。
【課題を解決するための手段】
【０００８】
請求項１に記載の発明によれば、少なくとも完全硬化前には微小間隙を無数に有し、通気性が存する熱硬化性成形物の加圧加熱硬化に際して、熱源により加温されつつ加圧保持されている成形物中に加圧空気流を通過、排気、かつ循環させることにより熱源からの熱エネルギを対流伝導下で成形物に移動せしめ、これにより成形物の厚み中心の温度を加熱板および金型との接触加圧面に近い硬化温度域に早期に到達せしめると共に、バインダの水分除去と気化ガスの脱気の容易化を図り、熱硬化時間を短縮さるようにしたことを特徴とする低熱伝導率材の有通気性物の加圧加熱硬化成形方法が提供される。
【０００９】
請求項２に記載の発明によれば、通気性の成形物の加圧下での熱硬化のための金型装置であって、成形物の加圧方向の両側に設置される第１および第２の加熱板と、夫々の加熱板に取付けられ成形用の相補的凹凸形状の第１および第２の金型とから成り、前記加熱板および金型は、加圧空気源からの加圧空気を加熱板および金型を通過させつつ排気させるための適切な形状の通気孔を多数穿設していることを特徴とする有通気性物の加圧加熱硬化成形用の金型装置が提供される。
【００１０】
請求項３に記載の発明によれば、請求項２に記載の発明において、前記第１および第２の金型における対向した通風孔位置を相互に偏倚配置したことを特徴とする有通気性物の加圧加熱硬化成形用の金型装置が提供される。
【００１１】
請求項４に記載の発明によれば、請求項２若しくは３に記載の発明において、加熱板と相補的凹凸形状の金型とを別個に加工した組立て式としたことを特徴とする有通気性物の加圧加熱硬化成形用の金型装置が提供される。
【００１２】
請求項５に記載の発明によれば、通気性の成形物の加圧下での熱硬化のための油圧プレス装置であって、油圧シリンダと、加熱板と、加熱板に設置される相補的凹凸形状の金型とを備え、油圧シリンダにより惹起される加圧方向の相対移動により、金型間において有通気性の成形物の加圧加熱硬化を行わしめ、前記加熱板および金型は、加圧空気源からの加圧空気を加熱板および金型を通過させつつ排気させるための適切な形状の通気孔を多数穿設しており、かつ成形物の加圧加熱硬化中に加熱板および金型に穿設された通気孔を介しての加圧空気の圧送、排気および循環を行わしめるための加圧空気流通循環手段を具備したことを特徴とする有通気性物の加圧加熱硬化成形用プレス装置が提供される。
【００１３】
請求項６に記載の発明によれば、請求項５に記載の発明において、熱エネルギ損失防止のため、加熱板からの防止用の熱伝導防止手段もしくは対流放熱防止用の４方面のオーブン構造もしくは輻射放熱防止用の熱反射板を具備したことを特徴とする有通気性物の加圧加熱硬化成形用プレス装置が提供される。
【発明の効果】
【００１４】
請求項１の発明の作用・効果を説明すると、完全硬化前のポーラス状態時に室温風または熱風は昇温された加熱板および金型の熱エネルギを更に与えられつつ移動し、成形物に熱エネルギを与えつつ水分と気化ガスとを排出する。従って、成形物の厚み中心部まで短時間に昇温させえるので過不足ベーキングもなく、加圧加熱硬化成形の時間短縮化が図れる。
【００１５】
請求項２の発明の作用・効果を説明すると、加熱板および金型に通気孔を形成することにより成形物の加熱硬化の際に成形物への熱エネルギの付与および成形物からの水分および気化ガスの排出とを効率的に行うことができる。
【００１６】
請求項３の発明の作用・効果を説明すると、圧送風は成形物の厚み方向の最短距離を通過してしまうことなく成形物に満遍に斑なく充分な熱エネルギを与えつつ通過させることが可能となる。
【００１７】
請求項４の発明の作用・効果を説明すると、成形物の厚み、形状、バインダの変更等に対応した通風口の配置選択や変更が容易となる。更には、例えば、ボルト・ナット等の異物を噛み込ませてしまった誤操作発生時にも金型全体の破損・損傷が回避できるので部分的な変更・修理で済む。従って、復元費用は廉価であり、工期も短期間で済み、生産原価の低廉を図ることができる。
【００１８】
請求項４の発明の作用・効果について更に敷衍すると、凹凸形状物の生産性阻害要因の第１に金型の破損と磨耗がある。これらは治工具型類の補修費と共に、ライン停止、生産量低下となり、コストアップを招く。この原因の一つとしては所謂ポカミスである。例えば、ボルト、ナットなどの小物部品の介在を気づかずに加圧すれば金型は一度に破損する。第２に素材の品質管理による素材費増との兼ね合いとなるが、素材の厚みと重量の変動は一般に数％であり、時に１０％、局部的には数１０％もありえる。この変動にも係わらず加圧力は厚みを均一化するべく印加されるため、結果として凹部や凸部に強力な偏荷重が生じせしめられる。これが反復されるため、やがては金型の疲労破壊を招く結果となる。第３の要因として金型の磨耗が挙げられる。金型の磨耗は均一ではなく、平坦部は小さく、滑りのある凸部における肩部の磨耗は大きくなる。もし、凹凸部が一般型と同様に、例えば、ヒータ埋設型の加熱板部と一体の異形型彫りとした場合は、第１には材質選択範囲の狭小なこと、第２には大形物における型彫り加工費が高価なこと、第３には上記原因による破損・損傷・磨耗対応費用等がある。請求項４に記載の発明によれば、加熱板は軟材、硬材、鋳物とその材質を選ばず、凹凸部は耐磨耗材を用いる等の選択が任意である。大物加工は加熱板の平板加工のみで加工費は廉価となる。異形加工物の凹凸部は一駒ずつの小物材の加工となるので廉価となる。次に、破壊・磨耗に対しては局部のみとなるのでそこだけ補修すれば済むので廉価となる。更には、形状変更や多品種化に対しては加熱板部を共有化して凹凸駒部だけの対応も可能となり、治工具費用の低廉化を実現することができる。
【００１９】
請求項５の発明の作用・効果を説明すると、加圧空気流通循環手段により加圧空気は加熱板および金型を介して排気され循環に供され、このような循環により成形物に対する熱エネルギの付与と、成形物からの水分および気化ガスの排出とを効率的に行うことができる。
【００２０】
請求項５の発明の作用・効果について敷衍すると、従来のホットプレスでは成形物への熱供給は伝導熱が主体で電熱ヒータまたは蒸気加熱による平加熱板が圧倒的に多い。熱媒体による加熱方式もあるが、熱伝導方式のみによる加熱である点に相違はない。通気孔を有した加熱板および金型と加圧空気循環手段とにより効率的な加熱を実現することができる。これは、一種の専用ホットプレスであり、一般のホットプレス同様の平加熱盤加熱制御機構を有する上に、第１には室温風を圧送する装置を具備し、第２に効率向上のために、平加熱盤のエネルギを支援する送風の加熱機を付備する。そのた、第３には圧送系を循環させると共に必要に応じてスチームトラップ等の脱水除湿を具備せしめることができる。本格的な専用プレス以外に、加熱板に未飽和蒸気または熱風を直に送風口に接続する方法も採用しうる。
【００２１】
請求項６の発明の作用・効果を説明すると、ホットプレスの放熱損失、即ち、伝導損失、対流損失、輻射損失の抑制を図ることができる。例えば、５５ｋｗのヒータ加熱ホットプレスを５台用いるライン構成で、電力を４０％抑制しつつ２直体制で、１０年間で４万時間稼動し、電力費20円/1kwと仮定すると、55KW/H/1台×5台×４万Ｈ/10年×0.4×20円/kw＝440万kw/H/10年×20円/kw＝8,800万円/10年の大幅コストダウンが可能となり、省エネルギ型で環境保全型のプレスラインとすることができる。
【００２２】
請求項６に記載の発明の作用・効果について、敷衍すると、熱成形プレスは多用されている。従って、低熱伝導材を使用した断熱板の開発も進められている。しかしながら、プレス装置における従来の放熱ロス防止対策としては断熱材による伝導抑制のみが大半であった。放熱ロス防止目的でなく、温度斑抑制による製品の性質上の目的で全周を包囲した対流抑制型のオーブン式はあることはあった。しかしながら、ランニングコスト抑制の目的で、放熱の三原因の伝導・対流・輻射を全てを対象にした熱成形プレスはこれまでなく、低コストに係わらず確実な動作を期すことができ、温暖化防止に役立つ省エネルギ型の環境保全型装置の提供が可能となる。
【発明を実施するための最良の形態】
【００２３】
図１および図２はこの発明の第１の実施形態を示し、図１は型開き状態、図２は型閉じ状態を示し、この実施形態は低熱伝導率繊維（例えば麻やヤシの実の繊維）等に、加熱硬化性のバインダを加え、凹凸状に予備成形を受けた板状の成形品（半加工品）を加熱硬化させ特許文献１に記載の如きフォークリフト爪挿入溝を有する荷役用パレットとするのに適した油圧プレス装置を示す。油圧プレス装置において、１０は枠体、１２は枠体１０に案内されて上下を摺動するスライドテーブル、１３はスライドテーブル１２を枠体１０に沿って上下摺動せしめる油圧シリンダである。スライドテーブル１２の下面および下枠１４の上面には、それぞれ、断熱板16, 18が設置される。上側断熱板１６の下面には上側加熱板２０、下側断熱板１８の上面には下側加熱板２２が設置される。上側加熱板２０は内部にヒータ２３を備え、下側加熱板２２は内部にヒータ２５を備える。上側加熱板２０の下面には第１の金型２４が取り付けられ、下側加熱板２２の上面には第２の金型２６が取り付けられる。第１および第２の金型24, 26はその間に凹凸状の半加工品Ａを収容すべく相補的な凹凸形状をなすよう上側加熱板２０、下側加熱板２２にそれぞれ取付けられており、半加工品Ａの加圧下での加熱硬化を行い、最終的な製品（この実施形態例では荷役用パレット）を得るものである。
【００２４】
上側加熱板２０は上下に貫通した多数の通気孔30A, 30Bを備え、通気孔３０Ａは下面は金型２４に面して設けられ、通気孔３０Ｂは下面において開口したものを表し、通気孔３０Ａは金型２４に面しているが、金型にも通気孔３２が設けられ、加熱板２０の通気孔３０Ａは金型２４の通気孔３２と連通し、結局双方の通気孔30A, 30Bは下面が開放している。そして、通気孔30A, 30BＡは上端では加熱板２０内の横通路３４に連通しており、上側において、加熱板２０および金型２４を通しての室温風もしくは加温風の通過・循環が可能となっている。同様に、下方の加熱板２２についても金型２６に面した通気孔３６Ａと、そのまま上面に開口した通気孔３６Ｂとが設けられ、金型２６に面した通気孔３６Ａにについては金型２６内の通気孔３８によって上面に開口している。そして、通気孔36A, 36Bは下端では加熱板２２内の横通路４０に連通しており、下側において加熱板２２および金型２６を通しての室温風もしくは加温風の通過・循環が可能となっている。
【００２５】
図１および図２において、上側加熱板２０および金型２４に形成される通気孔30A, 30B, 32と、下加熱板２２および金型２６に形成される通気孔36A, 36B, 38とは左右と前後の位置をずらして設けられる。
【００２６】
図１および図２には図示しないが、室温空気もしくは加温空気を下側横通路４０より導入する加圧空気供給源と、下側通気孔36A, 36B, 38より上側通気孔30A, 30B, 32を経て上側横通路３４に排出された空気を排出させ、加圧空気供給源に導入する循環手段が具備されている。この循環手段は後述の図４には上側横通路３４に接続される送気通路８２と、下側横通路４０に接続される排気通路８０とで循環通路を形成し、この循環通路上に、除湿器８４、加熱器８６および送風器８８が設けられたものが示されており、図４のものと同様な循環手段を図１および図２の実施形態において採用しうる。
【００２７】
第１実施例による成形動作を説明すると、予備成形された成形物Ａは上下の型24, 26間に設置され、シリンダ１３に油圧を供給することによりスライドテーブル１２は下降し、図２に示すように成形物Ａは上下の型24, 26間において上下より加圧される。そして、上下の加熱板20, 22の熱による成形物Ａは熱伝導下での加熱を受ける。同時に、室温風もしくは加温風は下側の横通路４０に矢印のように圧力下で供給され、室温風もしくは加温風は加熱板２２における通気孔３６Ｂより成形物Ａに噴出され、加熱板２２内の通気孔３６Ａおよび型２６内の通気孔３８より成形物Ａに向けて噴出され、成形物Ａ内の空隙を通過した空気は型２４内の通気孔３２および加熱板２０内の通気孔３０Ａを介して横通路３４に排出されると共に、加熱板２０内の通気孔３０Ｂを介して横通路３４に排出される。横通路３４に排出された空気は外部の循環通路を経て送風用の送風器（図示せず）の吸引口より吸引され、送風器の送出口より横通路４０に戻される。このような、循環過程において空気は熱エネルギを与えられつつ移動され、成形物Ａに熱を付与し生じた水分および気化ガスとともに排出され、循環される。このような循環による対流的な加熱作用により成形物Ａの厚み中心まで均等に昇温させることができ、過不足のないベーキングを行うことができ、短時間でバインダを固化させ、成形を完了せしめることができる。
【００２８】
上側加熱板２０および金型２４に形成される通気孔30A, 30B, 32と、下加熱板２２および金型２６に形成される通気孔36A, 36B, 38とは左右と前後の位置をずらして設けられる。これにより、下側の通気孔36A, 36B, 38からの室温風もしくは加温風は成形物Ａをより長い距離にわたって通過し、加熱時間を相対的に延長し、成形物の均等加熱に寄与させることができる。
【００２９】
この発明においては、加熱板20, 22と、成形用の凹凸を形成する金型（凹凸部形成用の駒材）24, 26とは組立て構造になっている。加熱板20, 22の材質としては軟材、硬材、鋳物と適切なものであれば何でもよく、金型24, 26としては耐磨耗鋼とするなどの適宜の材質選択が可能である。大物加工は加熱板20, 22の平板加工のみで加工費は低廉となる。他方、異形加工が必要な凹凸部は一駒ずつの小物材の加工となるので、これも廉価である。そして、破損や磨耗に対しては局部のみとなるので、そこだけの補修ですむのでこれも廉価である。更には、形状変更や多品種化に対しては加熱板20, 22を共有化して凹凸駒部、即ち金型24, 26だけの対応も可能となる。以上より、金型（治工具）のコストの著しい低減化を実現することができる。
【００３０】
図３および図４は図１および図２の装置に適用しうる４方面のオーブン構造を示しており、図３はプレス装置の正面図で型開きした状態を示しており、上下の加熱板20, 22および金型24, 24の側方位置には熱反射板５０が設けられ、熱反射板５０は枠体１０における前後支柱１０Ａの部分に固定される。図４はプレス装置の側面図を示し、プレス装置の前面および後面の開口部を閉鎖するための閉鎖板60, 62 が設けられると共に閉鎖板60, 62の内面側に熱反射板64, 66が設けられる。後面の閉鎖板６２はプレス装置の枠体１０に固定となっているが、前面の閉鎖板６０については上下方向（矢印ａ）もしくは左右方向（図示省略）に可動に枠体１０に取り付けられており、型開き時に閉鎖板６０を上下もしくは左右に移動させることにより、プレス装置の前面を開放し、素材の投入、製品の取り出しが可能となる。図４の２点鎖線６０Ａは素材投入時もしくは型開き時に閉鎖板６０を下降位置させた状態を示す。また、図４には循環手段も図示されており、上側加熱板２０の横通路３４に排気通路８０が接続され、下側加熱板横通路４０には送気通路８２が接続され、排気通路８０と送気通路８２とで循環通路が形成され、この循環通路上に、除湿器８４、加熱器８６および送風器８８が設けられる。
【００３１】
図３および図４の構成において、前後に閉鎖板60, 62を設けることにより、プレス装置の前後の開口は閉鎖されるため、上下の加熱板20, 22および金型24, 24の周囲は４方面で熱的に密閉され、かつ熱反射板50, 64, 66により輻射熱が金型および被成形物に向けて反射されるため、熱伝導、熱伝達（対流）および輻射熱を全て加熱のために有効に利用することができる。
【００３２】
図５および図６はこの発明の第２の実施形態を示し、図５は型開き状態、図６は型閉じ状態を示し、低熱伝導率粉末などに熱硬化性バインダを加えて裏金などの金属製の別部材を圧着させつつ加圧加熱成形する、例えば、自動車用ブレーキパッドなどの成形のための油圧プレス装置を示す。この実施形態の油圧プレス装置において、１００は枠体、１０２はスライドテーブルであり、上部にはスライドテーブル１０２を枠体１００に沿って上下摺動せしめる油圧シリンダ１０４が設けられ、下部にはノックアウトヘッド１０６が設けられ、ノックアウトヘッド１０６はノックアウトロッド１０８により昇降可能とされている。スライドテーブル１０２の下面および下枠１１０の上面には、それぞれ、断熱板112, 114が設置される。上側断熱板１１２の下面には上側加熱板１１６、下側断熱板１１４の上面には下側加熱板１１８が設置される。図６に示すように上側加熱板１１６は内部にヒータ１２０を備え、下側加熱板１１８は内部にヒータ１２２を備える。上側加熱板１１６の下面には加圧用のパンチ１２４が設けられる。１２６は裏金を抑えるための環状のパンチで、パンチ１２４とは別駆動となっており、そのための油圧シリンダ１２５に接続される。ノックアウトヘッド１０６上にはブレーキパッドの裏金１３０が配置され、裏金１３０の上にはブレーキパッド１３２が位置されている。ブレーキパッド１３２は低熱伝導率粉末などに熱硬化性バインダを加えて板状に予備成形（未硬化）されている。
【００３３】
図６に示すように、下側加熱板１１８は通気孔１３３を備え、ノックアウトヘッド１０６には通気孔１３３に連通する横通路１３４およびこの横通路１３４に連通する全面に沿った多数の縦方向の通気孔１３６を備える。そして、ブレーキパッド裏金１３０には全面に多数の縦方向の通気孔１３８がノックアウトヘッド１０６の通気孔１３６に連通するように設けられる。他方、油圧プレスの上方側に位置する上側加熱板１１６には横通路１４０および横通路１４０に連通する全面に分布した多数の縦方向の通気孔１４２を備える。そして、上側加熱板１１６の下方に位置する加圧用のパンチ１２４にはその全面に多数の縦方向の通気孔１４４が上側加熱板１１６の通気孔１４２と連通するように設けられる。
【００３４】
以上述べた第２の実施形態の動作を説明すると、図５に示すように、加熱硬化に先立ってノックアウトヘッド１０６上に裏金１３０が乗せられ、その上にブレーキパッド１３２が載置され、まず、油圧シリンダ１２５の駆動により裏金抑えパンチ１２６が下降され、裏金１３０の外周部に押付けられ、次に油圧シリンダ１０４が駆動され、加圧用のパンチ１２４はブレーキパッド１３２に押付けられる。その結果、図６に示すように、裏金抑えパンチ１２６は裏金１３０をノックアウトヘッド１０６を介して下側加熱板１１８に押付け、加圧用のパンチ１２４はブレーキパッド１３２および裏金１３０およびノックアウトヘッド１０６を介して図６に示すように下側加熱板１１８に押付け密着せしめる。図示しない送風器からの加圧室温もしくは加温風は通気孔１３３、横通路１３４、ノックアウトヘッド１０６の通気孔１３６、ブレーキパッド裏金１３０の通気孔１３８を介してブレーキパッド１３２に吹き付けられ、多孔構造のブレーキパッド１３２を通過後に加圧用のパンチ１２４の通気孔１４４、上側加熱板１１６の通気孔１４２を介して横通路１４０に排出され、図示しない排出パイプを介して前記した送風器の吸引口に循環される。この循環装置は図４に説明した、上側横通路３４に接続される送気通路８２と下側横通路４０に接続される排気通路８０とで形成される循環通路上に除湿器８４、加熱器８６および送風器８８を設置したものと同様な構成で実現することができる。ブレーキパッド１３２を介してのこのような対流的な室温風もしくは加熱風の循環によって上下の加熱板上116, 118の熱はブレーキパッド１３２の全体に均等に効率的に伝達され、ブレーキパッド１３２の加熱硬化が斑なく均等に行われ、同時にブレーキパッド１３２とその裏金１３０とは強固に接着一体化することができる。そして、通気目的で裏金１３０に形成された通気孔１３８はブレーキパッド１３２を構成する摩擦材(繊維材)との密着性を高めうるため、裏金１３０とブレーキパッド１３２との剥離防止の観点から好ましい。
【図面の簡単な説明】
【００３５】
【図１】図１は低熱伝導性繊維などに加熱硬化性バインダなどを加えて凹凸形状のフォークリフト用荷役パレットを製造するためのこの発明の第１実施形態の油圧プレス装置の型開き状態の正面図である。
【図２】図２は図１の油圧プレス装置の型閉じ状態の正面図である。
【図３】図３は第１実施形態と同様な用途の油圧プレス装置において放熱３重防止型として、四辺完全閉鎖オーブン構造とした場合のプレス装置、前後の囲い板を省いた状態の正面図である。
【図４】図４は図３のプレス装置の前後の囲い板を備えた状態を示すが、左側が型閉じ、右側が型開き状態の側面図である。
【図５】図５は低熱伝導性粉末などに加熱硬化性バインダを加えて、裏金などの別部材を圧着させつつ加熱成形することにより自動車ブレーキパッドどの成形を行うためのこの発明の第２の実施形態の油圧プレス装置の型開き状態の正面図である。
【図６】図６は図５の油圧プレス装置の型閉じ状態の半断面の正面図である。
【符号の説明】
【００３６】
１０…枠体
１２…スライドテーブル
１３…油圧シリンダ
16, 18…断熱板
２０…上側加熱板
２２…下側加熱板
23, 25…ヒータ
２４…第１の金型
２６…第２の金型
30A, 30B, 32…通気孔
３４…横通路
36A, 36B, 38…通気孔
４０…横通路
５０…熱反射板
60, 62…閉鎖板
８０…排気通路
８２…送気通路
８４…除湿器
８６…加熱器
８８…送風器。
112, 114…断熱板
１１６…上側加熱板
１１８…下側加熱板
１２４…加圧用のパンチ
１３０…ブレーキパッド裏金
１３２…ブレーキパッド
133, 136…通気孔
【図１】
2005111763.tif 000003
【図２】
2005111763.tif 000004
【図３】
2005111763.tif 000005
【図４】
2005111763.tif 000006
【図５】
2005111763.tif 000007
【図６】
2005111763.tif 000008